(57)【要約】【課題】投影する映像と光源の発光色とを調和させることができるとともに、装置の小型化と簡素化とを図ることができる投影装置を提供すること。【解決手段】光源１４の照明光を液晶パネル１０を透過させ、該液晶パネル１０に表示された文字や画像などの映像を投影する投影装置Ａにおいて、上記液晶パネル１０に表示する映像データ及び音声データを記憶した記憶媒体１６と、液晶パネル１０に表示される映像の内容に調和して発光する光源１４とを同一の筐体６に収容してユニット化し、該ユニットＢを投影装置本体１に着脱可能にした。【選択図】図１
2009053230.tif 000002
【特許請求の範囲】
【請求項１】
光源の照明光を液晶パネルを透過させ、該液晶パネルに表示された文字や画像などの映像を投影する投影装置において、上記液晶パネルに表示する映像データ及び音声データを記憶した記憶媒体と、上記光源とを同一の筐体に収容してユニット化し、該ユニットを投影装置本体に着脱可能にしたことを特徴とする投影装置。
【請求項２】
上記光源の照明光の色を前記液晶パネルに表示させる映像の内容に調和させて設定した、請求項１記載の投影装置。
【請求項３】
光源の照明光を液晶パネルを透過させ、該液晶パネルに表示された文字や画像などの映像を投影する投影装置において、上記液晶パネルに表示する映像データ及び音声データを記憶した記憶媒体を筐体に収容してユニット化するとともに、上記光源を照明光の色ごとにそれぞれ個別の筐体に収容してユニット化し、ユニット化したメモリユニットと、光源ユニットとを投影装置本体に着脱可能にしたことを特徴とする投影装置。
【発明の詳細な説明】
【技術分野】
【０００１】
本発明は、投影装置、詳しくは光源の照明光を液晶パネルを透過させ、該液晶パネルに表示された映像を投影する投影装置であり、映像の内容に光源と光源の発光色とを調和させて投影する投影装置に関するものである。
【背景技術】
【０００２】
従来、異なる色の照明光を発する光源を配置し、この光源を交互に点灯させてカラー表示を行なう投影機が提案されている（例えば、特許文献１）。この投影機は赤、緑、青の光源をフィールドシーケンシャル方式により点灯させてカラー画像表示ができるようにしたものである。
【特許文献１】特開２００２−４０３８８号公報
【発明の開示】
【発明が解決しようとする課題】
【０００３】
本発明が解決しようとする問題点は、上述の投影機はカラー画像表示をするために３色の光源を配置し、この光源の点灯を制御するとともに、光源の光を効率よく液晶パネルへ送り込むためのリフレクタを必要とするため、装置全体は大型化せざるを得なかった。装置の大型化は高輝度、高解像度でカラー画像表示をおこなう投影機では許容されるが、単光色で液晶パネルの画像を投影することができる小型化を目指す投影機では装置の大きさは許容できない問題であった。
【０００４】
本発明は、上記問題点を解決し、投影する映像と光源の発光色とを調和させることができるとともに、装置の小型化と簡素化とを図ることができる投影装置を提供することを課題とする。
【課題を解決するための手段】
【０００５】
前記課題を解決するために本発明に係る投影装置は、光源の照明光を液晶パネルを透過させ、該液晶パネルに表示された文字や画像などの映像を投影する投影装置において、上記液晶パネルに表示する映像データ及び音声データを記憶した記憶媒体と、上記光源とを同一の筐体に収容してユニット化し、該ユニットを投影装置本体に着脱可能にしたことを特徴とする。
【０００６】
なお、前記光源の照明光の色を前記液晶パネルに表示させる映像の内容に調和させて設定することが好ましい。
【０００７】
また、本発明に係る投影装置は、光源の照明光を液晶パネルを透過させ、該液晶パネルに表示された文字や画像などの映像を投影する投影装置において、上記液晶パネルに表示する映像データ及び音声データを記憶した記憶媒体を筐体に収容してユニット化するとともに、上記光源を照明光の色ごとにそれぞれ個別の筐体に収容してユニット化し、ユニット化したメモリユニットと、光源ユニットとを投影装置本体に着脱可能にしてもよい。
【発明の効果】
【０００８】
請求項１の発明によれば、光源と映像を記憶した記憶媒体とを一体にしてユニット化し、投影装置本体にユニットを着脱することにより光源の照明光で液晶パネルに表示された映像を投影することができるので、照明光が赤や緑などの色で発光する光源を記憶媒体と一体に構成すれば、カラーフィルターを使用することなく投影することができるので、カラーフィルターに照明光が吸収されることも、吸収による熱の発生もなくなるので、発生する熱の対策や照度が低下するなどの問題を解消することができる。
【０００９】
請求項２の発明によれば、記憶媒体に記憶された映像の内容と光源の照明光の色とを調和させたので、ユニットを差し替えることにより一々ユーザーが映像の内容に合わせて光源の発光色を設定しなくてもよく、取り扱いの簡便な投影機を実現することができる。
【００１０】
請求項３の発明によれば、記憶媒体と光源とを個別にユニット化し、ユニット化したメモリユニットと、光源ユニットとを投影装置本体に個別に着脱ができるようにしたので、記憶媒体に記憶されている映像をどのような色で投影するかをユーザーが自由に設定することができる。
【発明を実施するための最良の形態】
【００１１】
図１（ａ）は、本発明に係る照明装置の一例を示す正面側斜視図で、この照明装置Ａは、球体状に形成された投影装置本体１が基台２の上で前後左右に自由に回動させることができるように取り付けられている。上記投影装置本体１の前面には半透明の白い樹脂で略半球状に形成されたパネル３が配置され、内側からパネル３の裏面に投影された映像がパネル３の表面からパネル３を透して視認できるようになっている。さらに、上記投影装置本体１の背面側には開閉蓋４がヒンジ５を支点に後方に開放できるようになっているとともに、光源と記憶媒体とを同一の筐体６に収容して構成したユニットＢを挿入する挿入口７が形成されている（図１（ｂ）参照）。
【００１２】
投影装置本体１の内部には、図２に示すように、挿入口７から差し込まれたユニットＢを保持するホルダー８と、ユニットＢの光源からの照明光を集光する集光レンズ９と液晶パネル１０と投影レンズ１１とからなる投影機構１２と、反射鏡１３とが配置され、光源１４の照明光は液晶パネル１０を透過し、反射鏡１３で反射され、液晶パネル１０に表示されている映像は、パネル３の裏面に投影されるようになっている。
【００１３】
上記ユニットＢの内部には、上面の開口部１５に対応して光源（ＬＥＤ）１４が配置されるとともに、映像データを記憶した記憶媒体１６が収容され、投影装置本体１の挿入口７からユニットＢを挿入し、ホルダー８に設けたソケット１７とコネクタ１８とを接続することによりユニットＢと投影装置本体１とは電気的に接続され、この状態では、光源１４の光軸は集光レンズ９、投影レンズ１１の光軸に一致するようになっている。
【００１４】
なお、図２において、符号１９は効果音を出力するスピーカを示し、図示しない制御部は、記憶媒体１６に記憶されている音声データを再生することにより映像データに関連した効果音を液晶パネルに表示される映像とともに出力するようになっている。
【００１５】
ところで、ユニットＢに配置された光源（ＬＥＤ）１４は、ユニットＢに収容されている記憶媒体（ＲＯＭ）１６に記憶されている映像データに調和させた色で発光するＬＥＤ１４で構成されている。例えば、映像を海の中を泳ぐ魚をモチーフにした場合は、画面全体が海の色になるように青色のＬＥＤ、映像を夕日をモチーフにした場合は、画面全体が夕日に照らされた映像になるように赤色のＬＥＤ、映像をサバンナをモチーフにした場合は、画面全体が草原のイメージになるように緑色のＬＥＤで構成されていればよい。
【００１６】
上記構成の投影機によれば、ユーザーの気分によって表示させたい映像が記憶媒体１６に記憶されているユニットＢを選択し、選択したユニットＢを投影装置本体１のホルダー８にセットし、電源をＯＮすれば映像データは記憶媒体１６から読み出され、液晶パネル１０に表示されるとともにＬＥＤ１４が点灯する。
【００１７】
ＬＥＤ１４の発光色は映像データに調和する色に設定されているので、図３（ａ）に示すように、パネル３にはＬＥＤ１４の発光色で映像が映し出されるので、映像と色とが調和してユーザーの心を癒す小型の投影機を実現することができる。
【００１８】
なお、上述の投影機は、図３（ｂ）に示すように、開閉蓋４を開くと外部に映像を大きく投影することができ、これもユーザーの気分で投影機自体に映像を表示させるか、室内の壁面や天井などに投影するかを自由に選択することができるようになっている。
【００１９】
また、図４は投影機の別の例を示すもので、この投影機は光源１４と記憶媒体１６とをそれぞれ個別の筐体に収容してユニット化したもので、発光色の異なる光源１４（例えば、緑色、赤色など）を個別に収容した光源ユニットＢ１は投影装置本体１の背面に形成された挿入口２１に着脱自在に構成され、様々なモチーフ（例えば、海、森など）で構成された映像データ（音声データも含む）を記憶した記憶媒体１６を映像データごとに個別に収容したメモリユニットＢ２は基台２に形成された挿入口２３に着脱自在に構成されたもので、光源の発光色と映像データとの組合せを自由に設定できるようにしたものである。
【００２０】
この投影機によれば、メモリユニットＢ２の記憶媒体１６に記憶された映像データが海の中を泳ぐ魚をモチーフにしたものであっても気分を落ち着かせたい場合は緑色で発光する光源ユニットＢ１をセットすれば良いし、気持ちを高揚させたい場合は赤色で発光する光源ユニットＢ１をセットするなど、ユーザーの気分に合わせて映像と光源の発光色の組合せを設定することができ、映像の内容と発光色の関係にとらわれず、その組合せを自由に設定できるようにしてユーザーの気分を反映させた投影機を提供することができる。
【図面の簡単な説明】
【００２１】
【図１】（ａ）（ｂ）は本発明に係る投影装置の正面側斜視図及び背面側斜視図
【図２】上記投影装置の内部構成の説明図
【図３】（ａ）（ｂ）は上記投影装置の使用状態の説明図
【図４】投影装置の他の例を説明する斜視図
【符号の説明】
【００２２】
１    投影装置本体
２    基台
３    パネル
４    開閉蓋
６    筐体
７    挿入口
１０    液晶パネル
１４    光源（ＬＥＤ）
１６    記憶媒体（ＲＯＭ）
Ａ    投影装置
Ｂ    ユニット
【図１】
2009053230.tif 000003
【図２】
2009053230.tif 000004
【図３】
2009053230.tif 000005
【図４】
2009053230.tif 000006